(57)【特許請求の範囲】
【請求項１】
電気機器の端子台に配した端子ねじ付きの端子板に、丸形圧着端子付き電線を配線する際に使用する圧着端子配線用の補助治具であって、
前記補助治具がその軸部先端にねじ頭部の周面に圧入して端子ねじの頭部を掴む筒状体からなるホルダを設けた構造になり、該ホルダは端子ねじを掴んで引き上げる際に、端子台に開口したドライバー差込口に圧入保持されるようにその外径寸法を定め、端子台に前記丸形圧着端子を接続する際に、端子ねじを緩めた状態で、前記端子台のドライバー差込口に補助治具を挿入して端子ねじを掴み、続く補助治具の引き上げ操作により端子ねじを端子板から抜き出して、補助治具をドライバー差込口に圧入保持させ、この状態で丸形圧着端子を端子台に差込んだ後、補助治具の押し込み，回し操作により端子ねじの軸部を丸形圧着端子に挿入して端子板に仮締めするようにしたことを特徴とする電気機器の端子台に適用する圧着端子配線用補助治具。
【発明の詳細な説明】
【０００１】
【発明の属する技術分野】
本発明は、回路しゃ断器などの電気機器に装備した端子台を対象に、その端子台に丸形圧着端子付き電線を配線する際に使用して配線作業をアシストする圧着端子配線用の補助治具に関する。
【０００２】
【従来の技術】
まず、頭記した電気機器の一例として、特開２００１−１６０３５０号公報に開示されている回路しゃ断器の付属スイッチ（補助スイッチ，警報スイッチ）の構造を図３に示す。図３において、１はケース（樹脂ケース）、２は回路しゃ断器の開閉，トリップ動作に連動して作動する接点開閉機構、３は固定接触子、４は可動接触子（橋絡形接触子）、５はケース１の両端に形成した端子台、６は端子台５に引出した固定接触子（端子板）に取付けた端子ねじであり、端子台５にはその上面側の端子カバーに端子ねじ６を締め付け操作するドライバーを挿入するドライバー差込口７が、またケースの前後端面側には外部接続する電線の差込口８が開口している。
【０００３】
また、図４は配線用回路しゃ断器を示し、この回路しゃ断器にも前記と同様な構成の端子台を装備している。
次に、前記の端子台に接続する電線の形態を図５(a) 〜(c) に示す。なお、図において、９は絶縁被覆電線、１０は電線の素線、１１はＵ字形アンプと呼ばれる先開形圧着端子、１２は丸形アンプと呼ばれる丸形圧着端子である。
【０００４】
ここで、(a) 図の素線１０あるいは(b) 図の先開形圧着端子１１を端子台に接続する場合には、端子台５のドライバー差込口７にドライバー（ねじ回し）を挿入して端子ねじ６を緩め、この状態で電線差込口８に素線１０あるいは先開形圧着端子１１を差込んで端子ねじ６を締め付けて接続する。これに対して、(c) 図の丸形圧着端子１２付き電線を配線する場合には、ドライバーの操作により端子ねじ６を一旦固定接触子（端子板）３から完全に外してから丸形圧着端子１２を端子台に差込み、その後に改めて端子ねじ６を圧着端子１２の丸穴に挿入して端子板にねじ締めする必要があることから、このままでは端子板から外した端子ねじを配線作業中に落としたり，紛失したりするおそれがある。
【０００５】
一方、端子台の内部に端子ねじを退避位置に保持するホルダー（モールド部品）を組み付け、丸形圧着端子の配線作業中に端子板から外した端子ねじを前記ホルダー部品で保持させるようにした端子台の構造が、特開平５−１５２０１６号公報に開示されて公知である。
【０００６】
【発明が解決しようとする課題】
前記公報に開示されている端子台によれば、丸形圧着端子の配線作業中に端子板から取り外した端子ねじを落としたり紛失するおそれがない利点がある反面、端子台に丸形圧着端子用の専用部品として端子ねじホルダーを組付けるために端子台の構造が複雑化して製品がコスト高となる。
【０００７】
そこで、本発明は端子台を丸形圧着端子配線用に改造することなく、従来からの標準的な端子台に対して、丸形圧着端子付き電線の配線が簡単な作業で行えるようにした簡易な圧着端子配線用の補助治具を提供することを目的とする。
【０００８】
【課題を解決するための手段】
上記目的を達成するために、本発明によれば、電気機器の端子台に配した端子ねじ付きの端子板に、丸形圧着端子付き電線を配線する際に使用する圧着端子配線用の補助治具として、軸部先端にねじ頭部の周面に圧入して端子ねじの頭部を掴む筒状体からなるホルダを設け、該ホルダは端子ねじを掴んで引き上げる際に、端子台に開口したドライバー差込口に圧入保持されるようにその外径寸法を定めた構造になる補助治具を用意し、端子台に前記丸形圧着端子を接続する際に、端子ねじを緩めた状態で、前記端子台のドライバー差込口に補助治具を挿入して端子ねじを掴み、続く補助治具の引き上げ操作により端子ねじを端子板から抜き出して、補助治具をドライバー差込口に圧入保持させ、この状態で丸形圧着端子を端子台に差込んだ後、補助治具の押し込み，回し操作により端子ねじの軸部を丸形圧着端子に挿入して端子板に仮締めするようにする。
上記補助治具を使うことにより、端子台は従来構造のままであっても、簡単な操作で端子ねじを端子板から引き抜いた位置に保持して丸形圧着端子を挿入，接続することができる。しかも、補助治具は簡単な構造で安価に製作でき、この補助治具を回路しゃ断器などの電気機器の付属部品として製品出荷時に同梱しておけば、ユーザーは必要に応じて丸形圧着端子付き電線を簡単に配線することができる。
【００１１】
【発明の実施の形態】
以下、本発明の実施の形態を図１，図２に示す実施例に基づいて説明する。なお、実施例の図中で図３，図５に対応する部品には同じ符号を付してその説明は省略する。
図１(a) 〜(d) および図２(a) 〜(d) は付属スイッチの端子台５に丸形圧着端子１２付き電線９を配線する場合の作業手順の説明図であり、この配線作業には付属スイッチの製品に付属部品として同梱した補助治具１４を使用する。この補助治具１４は、その軸部先端に円筒状になる中空のホルダ１４ａを一体に形成し、このホルダ１４ａを端子台５に取付けた端子ねじ６の頭部外周に圧入して端子ねじ６を掴むようにした単純な構造で、例えば軟質プラスチック成形品として作られている。
【００１２】
そして、端子台５に丸形圧着端子１２を取付けた電線９を配線する場合には、図１(a) で示すように、まずドライバー（ねじ回し）１３をドライバー差込口７に差し込んで固定接触子（端子板）３に螺合した端子ねじ６を完全に緩める。なお、この場合には端子ねじ６の先端が端子板のねじ穴に入っている状態でねじ頭部がドライバー差込口７に引っ掛かって端子ねじ６が端子台５の内部で倒れないようにしておく。
【００１３】
次に、ドライバー１３に代えて前記した補助治具１４をドライバー差込口７に挿入し（図１(b) 参照）、保持治具１４の先端に設けたホルダ１４ａを上方から端子ねじ６に押付け、そのねじ頭部に圧入して端子ねじ６を掴む（図１(c) 参照）。続いて補助治具１４を上方に引き上げると、端子ねじ６も同時に引き上げられて、ねじ軸部の先端と固定接触子３との間に隙間が確保される（図１(d) 参照）。そして、この状態で電線９に接続した丸形圧着端子１２を端子台５の前面に開口した電線差込口８から端子台５の中に差し込む。
【００１４】
また、この場合に前記ホルダ１４ａの外径寸法を、端子台５の上面に開口したドライバー差込口７の穴径と略同じに定めておけば、端子ねじ頭部への圧入によりホルダ１４ａの外径が多少広がるために、ホルダ１４ａの外周がドライバー差込口７の周面に圧接し、これにより補助治具１４は図１(d) に示す引き上げ位置に係止保持されることができる。なお、端子ねじ６を掴んで引き上げた補助治具１４は、図２(a) で示すように端子台５から外部に完全に抜き出しもよい。
【００１５】
そして、端子台５に丸形圧着端子１２を挿入した後は、端子ねじ６を掴んだまま、補助治具１４を端子台の中に押し込む（図２(b) 参照）。これにより、先に挿入しておいた丸形圧着端子１２の丸穴に端子ねじ６のねじ軸部が嵌まり込み、続いて補助治具１４の軸部を回すと、端子ねじ６が固定接触子３のねじ穴に螺合して仮止めされる（図２(c) 参照）。この状態から補助治具１４を引き上げると、ホルダ１４ａが端子ねじ６の頭部から外れる。続いて、補助治具１４に代えてドライバ１３をドライバー差込口７に差し込み、図２(d) のようにねじ締めすることにより、丸形圧着端子１２付き電線９の配線作業が終了する。
【００１６】
なお、図１，図２の実施例は、図３に示した付属スイッチを対象に、その端子台５に丸形圧着端子１２を接続する場合について述べたが、図示実施例で述べた補助治具１４の適用は付属スイッチに限定されるものでなく、図４に示した回路しゃ断器の端子台，あるいは電磁接触器などの各種電気機器に装備した端子台についても同様に適用できる。
【００１７】
【発明の効果】
以上述べたように、本発明によれば、電気機器の端子台に配した端子ねじ付きの端子板に、丸形圧着端子付き電線を配線する際に使用する圧着端子配線用の補助治具として、軸部先端にねじ頭部の周面に圧入して端子ねじの頭部を掴む筒状体からなるホルダを設け、該ホルダは端子ねじを掴んで引き上げる際に、端子台に開口したドライバー差込口に圧入保持されるようにその外径寸法を定めた構造になる補助治具を用意し、端子台に前記丸形圧着端子を接続する際に、端子ねじを緩めた状態で、前記端子台のドライバー差込口に補助治具を挿入して端子ねじを掴み、続く補助治具の引き上げ操作により端子ねじを端子板から抜き出して、補助治具をドライバー差込口に圧入保持させ、この状態で丸形圧着端子を端子台に差込んだ後、補助治具の押し込み，回し操作により端子ねじの軸部を丸形圧着端子に挿入して端子板に仮締めするようにしたことにより、端子台に専用のねじホルダ部材を組み込むような改造を施すことなしに、従来構造のままの端子台に丸形圧着端子付き電線を簡単な作業で配線することができる。また、同じ補助治具を使って各種電気機器の端子台にも同様に適用できるなどの利便性が得られる。
【００１８】
しかも、この補助治具は簡単な構造でその製作費も安価であることから、電気機器製品に付属品として同梱しておけば、その製品を購入したユーザーは必要に応じて丸形圧着端子付き電線の配線作業を簡単に行える。
【図面の簡単な説明】
【図１】本発明の実施例に係る補助治具を使って端子台に丸形圧着端子付き電線を接続する配線作業の説明図であり、(a) 〜(d) は端子台の端子ねじを緩めて丸形圧着端子を挿入するまでの前半作業を工程順に表す図
【図２】図１に続く後半の配線作業の説明図で、(a) 〜(d) は端子ねじの引き上げから丸形圧着端子を締結するまでの後半作業を工程順に表す図
【図３】本発明に係る補助治具を適用する電気機器の一例として挙げた回路しゃ断器の付属スイッチの内部構造図
【図４】本発明に係る補助治具を適用する電気機器の一例として挙げた配線用回路しゃ断器の外観斜視図
【図５】図３，図４の端子台に配線する各種電線の態様図であり、(a) は電線の素線，(b) は先開形圧着端子付き電線，(c) は丸形圧着端子付き電線を表す図
【符号の説明】
１    ケース
３    固定接触子（端子板）
５    端子台
６    端子ねじ
７    ドライバー差込口
８    電線差込口
９    電線
１２    丸形圧着端子
１３    ドライバー
１４    補助治具
１４ａ  ホルダ
【図１】
0004052003.tif 000002
【図２】
0004052003.tif 000003
【図３】
0004052003.tif 000004
【図４】
0004052003.tif 000005
【図５】
0004052003.tif 000006